(57)【要約】【課題】ノズルの動きに伴う内容物の不用意な注出を防止する。【解決手段】容器の口部に係合して該口部を密閉保持するベース（２）と、このベース（２）に設けられ容器内の内容物を外部へ排出するノズル（３）とを備えた注出栓において、前記ノズル（３）を前記ベース（２）の水平面内で回動可能に取り付け、前記ベース（２）に、該ノズル（３）の回動に伴う収納状態にてノズル先端開口（３ａ）を閉塞するとともに該ノズル（３）そのものをベース（２）に対して係止、固定するストッパー（４）を配置し、前記ベース（２）と前記ノズル（３）とを相互に連結してノズル（３）の回動を阻止するがその切り離しによってノズルの回動を可能とするバージンバンド（５）を設ける。【選択図】図１
2005178865.tif 000002
【特許請求の範囲】
【請求項１】
容器の口部に係合して該口部を密閉保持するベースと、このベースに設けられ容器内の内容物を外部へ排出するノズルとを備えた注出栓であって、
前記ノズルを前記ベースの水平面内で回動可能に取り付け、
前記ベースに、該ノズルの回動に伴う収納状態にてノズル先端開口を閉塞するとともに該ノズルそのものをベースに対して係止、固定するストッパーを配置し、
前記ベースと前記ノズルとを相互に連結してノズルの回動を阻止するがその切り離しによってノズルの回動を可能とするバージンバンドを配置してなることを特徴とする注出栓。
【請求項２】
前記ベースの天面に、指を掛けて該ノズルの回動を誘導する凹部を備える請求項１記載の注出栓。
【発明の詳細な説明】
【技術分野】
【０００１】
本発明は、容器の口部に装着して内容物を注出するのに好適な注出栓に関するものであり、ノズルの閉状態における係止を確実にして内容物の不用意な排出を確実に防止しようとするものである。
【背景技術】
【０００２】
容器の口部には普通、容器内の内容物を好適な状態で注出するとともに、容器内を確実に密閉できるように注出栓が設けられており、その構成は、容器の口部に係合させて固定保持するベース（キャップ本体）と、このベースに設けられそれそのものの押し引きあるいは回動にて開閉するノズルからなっている。
【０００３】
この種の注出栓は、容器の開封前は不正防止のためにバージン片（バージンベルト）が配置されている（例えば特許文献１参照）が、該バージン片を引きちぎったのちにおいては、容器の姿勢によってノズルが比較的自由に動いてしまうことから、ノズルを閉状態にしてあるにもかかわらず開状態に移行し内容物が不用意に注出されてしまうおそれが存在していた。
【特許文献１】特開平１２−１０３４５３号公報
【発明の開示】
【発明が解決しようとする課題】
【０００４】
本発明の課題は、注出栓のノズルを該注出栓のベースに確実に係止して内容物の不用意な漏洩を確実に防止するところにある。
【課題を解決するための手段】
【０００５】
本発明は、容器の口部に係合して該口部を密閉保持するベースと、このベースに設けられ容器内の内容物を外部へ排出するノズルとを備えた注出栓であって、
前記ノズルを前記ベースの水平面内で回動可能に取り付け、
前記ベースに、該ノズルの回動に伴う収納状態にてノズル先端開口を閉塞するとともに該ノズルそのものをベースに対して係止、固定するストッパーを配置し、
前記ベースと前記ノズルとを相互に連結してノズルの回動を阻止するがその切り離しによってノズルの回動を可能とするバージンバンドを配置してなることを特徴とする注出栓である。
【０００６】
上記の構成になる注出栓においては、前記ベースの天面に、指を掛けて該ノズルの回動を誘導する凹部を設けるのが好ましい。
【発明の効果】
【０００７】
ノズルを閉とする収納状態に回動させたときベースに設けられたストッパーによってノズルが係止、固定される。
【発明を実施するための最良の形態】
【０００８】
以下、図面を参照して本発明をより具体的に説明する。
図１〜３は本発明に従う注出栓を合成樹脂にて形成した実施の形態を示したものであり、図１は密封状態の外観斜視図、図２はバージンバンドを取り外している状態を示した外観斜視図、図３は容器を開封して内容物を注出することができる状態の外観斜視図である。
【０００９】
図における番号１は内容物を充填する容器、２は容器１の口部に係合（ねじあるいはアンダーカット）して該口部を密閉保持するベース、３はベース２に設けられ容器１内の内容物を外部へ排出するノズルである。このノズル３はベース２の水平面内においてその天面より上方に突出させた筒壁にアンダーカット嵌合にて抜け出し不能でかつ、回転可能に取り付けられている。
【００１０】
また、４はベース２に一体的に設けられ弾性変形可能な舌片状のストッパーである。このストッパー４はノズル３の回動に伴う収納状態にてノズル先端開口３ａ（図３参照）を閉塞するとともに先端に設けた爪部４ａをノズル３の凸部又は溝部３ｂに引っ掛けてそれそのものをベース２に対して係止、固定することができるようになっている。
【００１１】
さらに、５は切り離し可能な１個以上の連結片又は薄肉片を介してベース２と一体に形成され、容器の開封前においてノズル３の外側面を覆いノズル３の回動を阻止するが、その切り離しによってノズル３の回動を可能とするバージンバンド、６はノズル３の天面に設けられた凹部、そして７はベース２の天面に設けられノズル３の凹部６と合致してほぼ円形の窪みを形成する凹部である。凹部６はノズル３を図３に示したような開状態にするに当たって指を掛けてノズル３の回動を誘導する。なお、本発明の実施の形態では、バージンバンド５の切り離しを容易にするためにバージンバンド５の先端に位置するノズル３の外側面に段部を形成しており、これにより、切り離し開始時にバージンバンド５の先端に指が掛かり易くなっている。
【００１２】
ベースの水平面内で回動可能に取り付けられたノズルを有する注出栓においては、容器の姿勢によってはノズル３が閉方向のみならず開方向へ回動することもあって誤って内容物が注出される懸念もあるが、本発明の注出栓はノズル３をベース２に係止するストッパー４を有しているのでこのストッパー４にてノズル３をホールドしている限り自然にノズル３が開となることがなく、したがって内容物が不用意に注出されることもない。
【００１３】
ストッパー４の係合を解除するにはノズル３の凹部３ａに指を引っ掛けてノズル３が開となる方向へ回動させる。そうすると、ストッパー４は弾性変形して爪部４ａは凸部又は溝部３ｂから外れるため特別な操作を必要としない。
【００１４】
図４は本発明に従う注出栓の他の実施の形態を示したものである。この例の注出栓は上掲図１〜３に示した注出栓とは異なり、ノズル３の天面に凹部６を有しない構成のものであり、これにより、ノズル３の回動に際してはベース２の天面の凹部７に当てられた指の腹がノズル３の側面と天面で構成される角部に当たり、ノズル３の回動時の指の引っ掛かりが良好となる。なお、本実施の形態では、凹部７のサイズを先に示した実施の形態のものと比較して適宜広くすることで指の大きさに対応させることが可能になる。
【産業上の利用可能性】
【００１５】
ノズルが開となる方向に動いて内容物が不用意に注出させることのない注出栓を提供できる。
【図面の簡単な説明】
【００１６】
【図１】本発明にしたがう注出栓の外観斜視図である。
【図２】バージンベルトを剥がした状態を示した外観斜視図である。
【図３】注出可能な状態の外観斜視図である。
【図４】本発明にしたがう注出栓の他の実施の形態の外観斜視図である。
【符号の説明】
【００１７】
１  容器
２  ベース
３  ノズル
３ａ  凸又は溝部
４  ストッパー
４ａ  爪部
５  バージンバンド
６  凹部
７  凹部
【図１】
2005178865.tif 000003
【図２】
2005178865.tif 000004
【図３】
2005178865.tif 000005
【図４】
2005178865.tif 000006